(57)【要約】【課題】基地局から受信する音声案内を補助することができる携帯電子機器を提供すること。【解決手段】携帯電話装置１は、第１言語モード及び第２言語モードで動作可能であり、スピーカ２２と、基地局との通信を行う通信部３０と、所定の言語による所定の案内を示す第１の音声データを記憶する記憶部５０と、第１言語モードで動作している場合において、通信部３０によって所定の案内を示す第２音声データを受信したとき、記憶部５０に記憶されている第１の音声データを電気信号に変換してスピーカ２２に出力し、第２言語モードで動作している場合において、通信部３０によって所定の案内を示す第２音声データを受信したとき、当該第２音声データを電気信号に変換してスピーカ２２に出力する制御部６０と、を備える。【選択図】図２
2012134862.tif 000002
【特許請求の範囲】
【請求項１】
第１言語モード及び第２言語モードで動作可能な携帯電子機器であって、
スピーカと、
基地局との通信を行う通信部と、
所定の言語による所定の案内を示す第１の音声データを記憶する記憶部と、
前記第１言語モードで動作している場合において、前記通信部によって前記所定の案内を示す第２音声データを受信したとき、前記記憶部に記憶されている前記第１の音声データを電気信号に変換して前記スピーカに出力し、前記第２言語モードで動作している場合において、前記通信部によって前記所定の案内を示す第２音声データを受信したとき、当該第２音声データを電気信号に変換して前記スピーカに出力する制御部と、を備える携帯電子機器。
【請求項２】
前記記憶部は、前記第１の音声データを使用するか否かを決定する切替情報を記憶し、
前記制御部は、前記携帯電子機器が前記第１言語モードで動作している場合において、前記通信部によって前記第２音声データを受信したとき、前記切替情報に基づいて前記第１の音声データを使用すると判定したことに応じて、前記記憶部に記憶されている前記第１の音声データを電気信号に変換して前記スピーカに出力する請求項１に記載の携帯電子機器。
【請求項３】
前記通信部により受信する前記第２音声データは圏外トーキーデータであり、
前記制御部は、前記通信部による発呼に係る通信において、インバンドトーンに基づいて前記基地局から音声データを受信した場合において、当該音声データが圏外トーキーデータであると判定したとき、前記記憶部に記憶されている前記第１の音声データを電気信号に変換して前記スピーカに出力する請求項１又は２に記載の携帯電子機器。
【請求項４】
前記制御部は、前記インバンドトーンに基づいて前記基地局から音声データを受信した場合に、当該音声データの周波数を測定し、測定された当該周波数に基づいて当該音声データが圏外トーキーデータであるか否かを判定し、当該音声データが圏外トーキーデータであると判定したときには、前記記憶部に記憶されている前記第１の音声データを電気信号に変換して前記スピーカに出力する請求項３に記載の携帯電子機器。
【請求項５】
前記制御部は、前記通信部が前記基地局から音声データを受信した場合に、当該音声データが圏外トーキーデータであると判定した場合に、前記通信部における通信を切断するとともに、前記記憶部に記憶されている前記第１の音声データを電気信号に変換して前記スピーカに出力する請求項３又は４に記載の携帯電子機器。
【請求項６】
前記制御部は、前記通信部が前記基地局から音声データを受信した場合において当該音声データが圏外トーキーデータであると判定したとき、所定時間にわたって当該圏外トーキーデータを電気信号に変換して前記スピーカに出力し、当該所定時間の経過後に前記通信部における通信を切断するとともに、前記記憶部に記憶されている前記第１の音声データを電気信号に変換して前記スピーカに出力する請求項３から５のいずれか１項に記載の携帯電子機器。
【請求項７】
前記制御部は、前記通信部が前記基地局から音声データを受信した場合において当該音声データが圏外トーキーデータであると判定したとき、当該圏外トーキーデータを電気信号に変換して前記スピーカに出力し、当該スピーカが圏外トーキーを出力している最中であっても、前記通信部における通信を切断させる請求項３から６のいずれか１項に記載の携帯電子機器。
【発明の詳細な説明】
【技術分野】
【０００１】
本発明は、第１言語モード及び第２言語モードで動作可能な携帯電子機器に関する。
【背景技術】
【０００２】
従来、携帯電子機器において、バイリンガル機能を備えるものが提案されている。例えば、非特許文献１では、各種機能に係る画面表示について日本語と英語の表示を切り替えることができる携帯電子機器が示されている。
【先行技術文献】
【非特許文献】
【０００３】
【非特許文献１】“Ｓ００２  オンラインマニュアル”、［ｏｎｌｉｎｅ］、ＫＤＤＩ株式会社、［平成２２年１２月１６日検索］、インターネット、＜ＵＲＬ：ｈｔｔｐ：／／ｗｗｗ．ａｕ．ｋｄｄｉ．ｃｏｍ／ｍａｎｕａｌ／ｓｏ００２／ｍｉｓｃ／ｍｉｓｃ０１．ｈｔｍｌ＞
【発明の概要】
【発明が解決しようとする課題】
【０００４】
しかしながら、非特許文献１に記載の携帯電子機器では、基地局から音声案内が通知された場合の処理について示されていない。このため、非特許文献１に記載の携帯電子機器では、例えば、基地局から受信した音声案内が日本語である場合、各種機能について英語で表示されるように設定しても、音声案内については日本語のままとなってしまう。よって、非特許文献１に記載の携帯電子機器では、日本語に不慣れなユーザが音声案内の内容を理解できない可能性がある。そこで、基地局から受信する音声案内を補助することができる携帯電子機器が求められている。
【０００５】
本発明は、基地局から受信する音声案内を補助することができる携帯電子機器を提供することを目的とする。
【課題を解決するための手段】
【０００６】
本発明に係る携帯電子機器は、第１言語モード及び第２言語モードで動作可能な携帯電子機器であって、スピーカと、基地局との通信を行う通信部と、所定の言語による所定の案内を示す第１の音声データを記憶する記憶部と、前記第１言語モードで動作している場合において、前記通信部によって前記所定の案内を示す第２音声データを受信したとき、前記記憶部に記憶されている前記第１の音声データを電気信号に変換して前記スピーカに出力し、前記第２言語モードで動作している場合において、前記通信部によって前記所定の案内を示す第２音声データを受信したとき、当該第２音声データを電気信号に変換して前記スピーカに出力する制御部と、を備える。
【０００７】
また、上記携帯電子機器では、前記記憶部は、前記第１の音声データを使用するか否かを決定する切替情報を記憶し、前記制御部は、前記携帯電子機器が前記第１言語モードで動作している場合において、前記通信部によって前記第２音声データを受信したとき、前記切替情報に基づいて前記第１の音声データを使用すると判定したことに応じて、前記記憶部に記憶されている前記第１の音声データを電気信号に変換して前記スピーカに出力することが好ましい。
【０００８】
また、上記携帯電子機器では、前記通信部により受信する前記第２音声データは圏外トーキーデータであり、前記制御部は、前記通信部による発呼に係る通信において、インバンドトーンに基づいて前記基地局から音声データを受信した場合において、当該音声データが圏外トーキーデータであると判定したとき、前記記憶部に記憶されている前記第１の音声データを電気信号に変換して前記スピーカに出力することが好ましい。
【０００９】
また、上記携帯電子機器では、前記制御部は、前記インバンドトーンに基づいて前記基地局から音声データを受信した場合に、当該音声データの周波数を測定し、測定された当該周波数に基づいて当該音声データが圏外トーキーデータであるか否かを判定し、当該音声データが圏外トーキーデータであると判定したときには、前記記憶部に記憶されている前記第１の音声データを電気信号に変換して前記スピーカに出力することが好ましい。
【００１０】
また、上記携帯電子機器では、前記通信部が前記基地局から音声データを受信した場合に、当該音声データが圏外トーキーデータであると判定した場合に、前記通信部における通信を切断するとともに、前記記憶部に記憶されている前記第１の音声データを電気信号に変換して前記スピーカに出力することが好ましい。
【００１１】
また、上記携帯電子機器では、前記制御部は、前記通信部が前記基地局から音声データを受信した場合において当該音声データが圏外トーキーデータであると判定したとき、所定時間にわたって当該圏外トーキーデータを電気信号に変換して前記スピーカに出力し、当該所定時間の経過後に前記通信部における通信を切断するとともに、前記記憶部に記憶されている前記第１の音声データを電気信号に変換して前記スピーカに出力することが好ましい。
【００１２】
また、上記携帯電子機器では、前記制御部は、前記通信部が前記基地局から音声データを受信した場合において当該音声データが圏外トーキーデータであると判定したとき、当該圏外トーキーデータを電気信号に変換して前記スピーカに出力し、当該スピーカが圏外トーキーを出力している最中であっても、前記通信部における通信を切断させることが好ましい。
【発明の効果】
【００１３】
本発明によれば、基地局から受信する音声案内を補助することができる。
【図面の簡単な説明】
【００１４】
【図１】携帯電話装置の外観斜視図である。
【図２】携帯電話装置の機能を示す機能ブロック図である。
【図３】呼の接続に失敗した場合の音声データを出力する処理の流れを示すフローチャートである。
【図４】切替フラグを自動的に設定する処理の流れを示すフローチャートである。
【発明を実施するための形態】
【００１５】
以下、本発明の実施の形態について説明する。なお、本実施形態では、携帯電子機器の一例として、携帯電話装置について説明する。なお、本発明の携帯電子機器は、これに限られず、例えば、ＰＤＡ（Ｐｅｒｓｏｎａｌ  Ｄｉｇｉｔａｌ  Ａｓｓｉｓｔａｎｔ）や通信機能を備えたパーソナルコンピュータ、更に、これらに接続される通信モジュール等、様々な携帯電子機器に適用可能である。
【００１６】
図１は、本実施形態に係る携帯電話装置１の外観斜視図である。なお、図１は、いわゆる折り畳み型の携帯電話装置の形態を示しているが、本発明に係る携帯電話装置の形態としては、特にこれに限られない。例えば、両筐体を重ね合わせた状態から一方の筐体を一方向にスライドさせるようにした回転式（ターンタイプ）や、操作部と表示部とが１つの筐体に配置され、連結部を有さない形式（ストレートタイプ）でもよい。
【００１７】
携帯電話装置１は、操作部側筐体部２と、表示部側筐体部３とを備えて構成される。
操作部側筐体部２は、表面部１０に、操作部１１と、携帯電話装置１の使用者が通話時に発した音声が入力されるマイク１２とを備えて構成される。操作部１１は、各種設定や電話機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声や基地局から受信する音声ガイド等の音声を出力するスピーカ２２とを備えて構成されている。
【００１８】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００１９】
図２は、本実施形態に係る携帯電話装置１の機能を示す機能ブロック図である。
携帯電話装置１は、図２に示すように、操作部１１と、マイク１２と、通信部３０と、ＬＣＤ制御部４１と、音声処理部４２と、記憶部５０と、制御部６０とを操作部側筐体部２に備える。また、携帯電話装置１は、ＬＣＤ表示部２１と、スピーカ２２と、ＬＣＤドライバ２３とを表示部側筐体部３に備える。
【００２０】
通信部３０は、基地局（図示省略）等の外部機器と信号の送受信を行う。この通信部３０は、メインアンテナ３１と、ＲＦ回路部３２とを備える。
【００２１】
メインアンテナ３１は、基地局等の外部機器と、所定の変調方式で変調された高周波信号の送受信を行う。
ＲＦ回路部３２は、メインアンテナ３１により送受信される高周波信号を処理する。具体的には、ＲＦ回路部３２は、メインアンテナ３１によって受信した信号を所定の復調方式で復調し、処理後の信号を制御部６０に供給する。また、ＲＦ回路部３２は、制御部６０から供給された信号を所定の変調方式で変調し、メインアンテナ３１を介して基地局等の外部機器に送信する。
【００２２】
ＬＣＤ制御部４１は、制御部６０の制御に従って、所定の画像処理を行い、処理後の画像データをＬＣＤドライバ２３に出力する。ＬＣＤドライバ２３は、フレームメモリを備えており、ＬＣＤ制御部４１から供給された画像データをフレームメモリに蓄える。そして、ＬＣＤドライバ２３は、フレームメモリに蓄えられた画像データを所定のタイミングでＬＣＤ表示部２１又はサブＬＣＤ表示部（図示省略）に出力する。
【００２３】
音声処理部４２は、制御部６０の制御に従って、所定の音声処理を行うことによって電気信号を生成し、この電気信号をスピーカ２２に出力する。スピーカ２２は、音声処理部４２から供給された電気信号を外部に出力する。また、音声処理部４２は、マイク１２から入力された電気信号を処理し、処理後の信号を制御部６０に出力する。
【００２４】
記憶部５０は、例えば、情報を記憶するメモリ等により構成されており、制御部６０による演算処理に利用される。また、記憶部５０は、ビジートーンと、所定の言語としての英語により所定の案内を示す英語音声案内データ（第１の音声データ）とを記憶する。また、記憶部５０は、携帯電話装置１の動作を決定するための設定情報を記憶する。この設定情報は、第１言語モードとしての英語モードと、第２言語モードとしての日本語モードを決定するための言語設定情報と、英語音声案内データを使用するか否かを決定する切替情報としての切替フラグとを含む。また、この設定情報は、操作部１１の操作を介して任意に設定可能である。なお、記憶部５０は、着脱可能な外部メモリを兼ねていてもよい。
【００２５】
なお、英語モードとは、制御部６０により、ＬＣＤ表示部２１に表示される機能等に係る文書等が英語で表示されるモードである。また、日本語モードは、制御部６０により、ＬＣＤ表示部２１に表示される機能等に係る文書等が日本語で表示されるモードである。日本語モード及び英語モードはそれぞれ所定の国番号に対応している。
【００２６】
言語設定情報には、使用中の言語モード（日本語モード又は英語モード）を示す情報と、使用中の言語モードに対応する国番号が記憶されている。また、所定の案内は、携帯電話装置の電波が届かない、又は電源が入っていない旨を案内するものである。
【００２７】
制御部６０は、中央演算装置（ＣＰＵ）等により構成されており、携帯電話装置１の全体を制御する。制御部６０は、例えば、通信部３０、ＬＣＤ制御部４１、音声処理部４２等に対して所定の制御を行う。また、制御部６０は、例えば、操作部１１から発信に係る所定の操作（発信操作）を受け付けることにより発信処理を行う等、操作部１１等から入力を受け付けて、各種処理を実行する。そして、制御部６０は、処理実行の際には、記憶部５０を制御し、各種プログラム及びデータの読み出し、並びにデータの書き込みを行う。制御部６０の詳細な機能については後述する。
【００２８】
このように構成される携帯電話装置１は、制御部６０により、記憶部５０に記憶されている言語設定情報に基づいて、英語モード及び日本語モードのいずれかのモードで動作する。以下に、制御部６０について、詳細な説明を行う。
【００２９】
制御部６０は、携帯電話装置１が英語モードで動作している場合において、通信部３０によって所定の案内を示す第２音声データとしての日本語音声案内データを受信したとき、記憶部５０に記憶されている英語音声案内データを、音声処理部４２を介して電気信号に変換してスピーカ２２に出力する。また、携帯電話装置１が日本語モードで動作している場合において、通信部３０によって日本語音声案内データを受信したとき、当該日本語音声案内データを、音声処理部４２を介して電気信号に変換してスピーカ２２に出力する。ここで、通信部３０によって受信する所定の案内を示す日本語音声案内データは圏外トーキーデータであることとする。
【００３０】
具体的には、制御部６０は、通信部３０による発呼に係る通信において、発信処理を行って呼の確立を試行する。呼の確立に失敗した場合、通信部３０は、基地局からセルコントロール切断メッセージ（ＣＣ切断メッセージ）を受信する。このセルコントロール切断メッセージには、基地局側の音声パスを示す情報が含まれるインバンドトーンが付加されている場合がある。
【００３１】
制御部６０は、セルコントロール切断メッセージにインバンドトーンが付加されている場合、インバンドトーンに基づいて基地局から音声データを受信し、セルコントロール切断メッセージが付加されていない場合、記憶部５０に記憶されているビジートーンを音声データに変換してスピーカ２２に出力する。受信した音声データは、圏外トーキーデータ又は発呼の相手が話中であることを示すビジートーンのいずれかである。ここで、圏外トーキーデータは、上述のように日本語による案内に係るデータであるので、周波数が一定ではない。これに対して、ビジートーンは、所定の周期（例えば１秒）であり、周波数が所定の周波数（例えば、４００Ｈｚ）である。
【００３２】
続いて、制御部６０は、携帯電話装置１が英語モードで動作している場合に、受信した音声データの周波数を測定し、当該周波数に基づいて当該音声データが圏外トーキーデータであるか否かを判定する。すなわち、制御部６０は、測定された周波数が所定の周波数である場合に、音声データが圏外トーキーデータではないと判定し、測定された周波数が所定周波数ではない場合に、音声データが圏外トーキーデータであると判定する。なお、制御部６０は、ビジートーンであるか否かを精度よく測定するために、音声データの周期が所定の周期であるか否かについても判定し、当該音声データが圏外トーキーデータであるか否かを判定するようにしてもよい。
【００３３】
続いて、制御部６０は、受信した音声データが圏外トーキーデータであると判定した場合、記憶部５０に記憶されている切替情報に基づいて英語音声案内データを使用するか否かを判定する。すなわち、制御部６０は、切替フラグがＯＮである場合、英語音声案内データを使用すると決定し、切替フラグがＯＦＦである場合、英語音声案内データを使用しないと決定する。
【００３４】
続いて、制御部６０は、英語音声案内データを使用すると判定した場合、通信部３０における通信を切断するとともに、記憶部５０に記憶されている英語音声案内データを音声処理部４２を介して電気信号に変換してスピーカ２２に出力する。スピーカ２２では、音声処理部４２を介して入力された電気信号が音声に変換され、英語音声案内が出力される。
【００３５】
また、制御部６０は、受信した音声データが圏外トーキーデータではないと判定した場合、受信した音声データ、すなわち、ビジートーンをスピーカ２２に出力する。スピーカ２２では、音声処理部４２を介して入力された電気信号が音声に変換され、ビジートーンが出力される。
【００３６】
一方で、制御部６０は、携帯電話装置１が日本語モードで動作している場合、受信した音声データが圏外トーキーデータであるか否かを判定せずに、受信した音声データを音声処理部４２を介して電気信号に変換してスピーカ２２に出力する。同様に、制御部６０は、携帯電話装置１が英語モードで動作している場合において、受信した音声データが圏外トーキーデータであると判定し、更に英語音声案内データを使用しないと判定したとき、受信した音声データを音声処理部４２を介して電気信号に変換してスピーカ２２に出力する。スピーカ２２では、音声処理部４２を介して入力された電気信号が音声に変換され、圏外トーキー又はビジートーンが出力される。
【００３７】
なお、制御部６０は、通信部３０が基地局から受信した音声データが圏外トーキーデータであると判定した場合、所定時間にわたって圏外トーキーをスピーカ２２に出力させ、当該所定時間の経過後に通信部３０における通信を切断してもよい。そして、制御部６０は、記憶部５０に記憶されている英語音声案内をスピーカ２２に出力させてもよい。
【００３８】
また、制御部６０は、通信部３０が基地局から受信した音声データが圏外トーキーデータであると判定した場合、当該圏外トーキーデータ（受信した音声データ）を電気信号に変換してスピーカ２２に出力し、当該スピーカ２２が圏外トーキーを出力している最中であっても、通信部３０における通信を切断させてもよい。なお、ここでは、携帯電話装置１の言語モードは、日本語モードであってもよいし、英語モードであってもよい。また、制御部６０は、記憶部５０に記憶されている切替情報により切替が行われない場合に、上述のように、圏外トーキーデータをスピーカ２２に出力した後、英語音声案内データをスピーカ２２に出力するようにしてもよい。
【００３９】
このようにすることで、呼の確立に失敗した場合に、携帯電話装置１のユーザは、基地局から受信する日本語で案内される圏外トーキーと、記憶部５０に記憶されている英語音声案内データに対応する英語音声案内との両方を聞くことができる。よって、携帯電話装置１は、ユーザが携帯電話装置１の設定がわからない場合であっても、２つの言語で音声案内を聞かせることができるので、当該ユーザの音声案内の内容に対応する理解を補助することができる。
【００４０】
続いて、携帯電話装置１において呼の接続に失敗した場合の音声データを出力する処理の流れについて説明する。図３は、本実施形態に係る携帯電話装置１において、呼の接続に失敗した場合の音声データを出力する処理の流れを示すフローチャートである。
【００４１】
ステップＳ１において、制御部６０は、操作部１１により発信操作が受け付けられたことに応じて、発信処理を行う。
ステップＳ２において、制御部６０は、基地局からメッセージを受信する。
【００４２】
ステップＳ３において、制御部６０は、ステップＳ２において受信したメッセージがセルコントロール切断メッセージ（ＣＣ切断メッセージ）であるか否かを判定する。制御部６０は、この判定がＹＥＳの場合、ステップＳ５に処理を移し、この判定がＮＯの場合、ステップＳ４に処理を移す。
【００４３】
ステップＳ４において、制御部６０は、ステップＳ２において受信したメッセージが正常なメッセージであるとして、通話処理を行い、本フローチャートに係る処理を終了する。
【００４４】
ステップＳ５において、制御部６０は、ステップＳ２において受信したメッセージがセルコントロール切断メッセージであるとして、このセルコントロール切断メッセージにインバンドトーンが付加されているか否かを判定する。制御部６０は、この判定がＹＥＳの場合、ステップＳ７に処理を移し、この判定がＮＯの場合、ステップＳ６に処理を移す。
【００４５】
ステップＳ６において、制御部６０は、インバンドトーンが付加されていない場合、記憶部に記憶されているビジートーンを音声信号に変換してスピーカ２２に出力する。制御部６０は、スピーカ２２に音声信号を出力した後、本フローチャートに係る処理を終了する。
【００４６】
ステップＳ７において、制御部６０は、インバンドトーンに基づいて基地局から音声データを受信する。
ステップＳ８において、制御部６０は、ステップＳ７において受信した音声データの周波数を測定して、当該音声データがビジートーンであるか否かを判定する。制御部６０は、この判定がＹＥＳの場合、ステップＳ１１に処理を移し、この判定がＮＯの場合、ステップＳ９に処理を移す。
【００４７】
ステップＳ９において、制御部６０は、記憶部５０に記憶されている切替フラグがＯＮであるか否かを判定する。制御部６０は、この判定がＹＥＳの場合、ステップＳ１０に処理を移し、この判定がＮＯの場合、ステップＳ１１に処理を移す。
【００４８】
ステップＳ１０において、制御部６０は、記憶部５０に記憶されている英語音声案内データを音声処理部４２を介して電気信号に変換してスピーカ２２に出力する。制御部６０は、この処理が終了すると本フローチャートに係る処理を終了する。
ステップＳ１１において、制御部６０は、ステップＳ７において受信した音声データを音声処理部４２を介して電気信号に変換してスピーカ２２に出力する。制御部６０は、この処理が終了すると本フローチャートに係る処理を終了する。
【００４９】
以上、本実施形態によれば、携帯電話装置１は、英語モードで動作している場合において、通信部３０によって所定の案内を示す第２音声データとしての日本語音声案内データを受信したとき、記憶部５０に記憶されている英語音声案内データを音声処理部４２を介して電気信号に変換してスピーカ２２に出力する。よって、携帯電話装置１は、記憶部５０に記憶している英語音声案内データに基づいて英語による音声案内を行うことができるので、基地局から受信する音声案内を補助することができる。また、英語による音声案内のデータを基地局側で用意する必要がなく、簡易的に英語対応を実現することができる。
【００５０】
また、携帯電話装置１は、切替情報（切替フラグ）に基づいて英語音声案内データを使用すると判定したことに応じて、記憶部５０に記憶されている英語音声案内データを電気信号に変換してスピーカ２２に出力する。よって、携帯電話装置１において、ユーザが切替情報（切替フラグ）の設定を行うことによって英語音声案内データを使用するかを決定することができる。
【００５１】
また、携帯電話装置１は、インバンドトーンが付加されているセルコントロール切断メッセージを受信し、インバンドトーンに基づいて基地局から音声データを受信した場合において、当該音声データが圏外トーキーデータであると判定したとき、記憶部５０に記憶されている英語音声案内データを電気信号に変換してスピーカ２２に出力する。よって、携帯電話装置１は、インバンドトーンが付加されたセルコントロール切断メッセージを受信した場合にのみ、音声データが圏外トーキーデータであるか否かの判定を行うので、圏外トーキーデータの判定に係る処理を最小限に抑えることができる。
【００５２】
また、携帯電話装置１は、インバンドトーンに基づいて基地局から音声データを受信した場合に、当該音声データの周波数を測定し、測定された当該周波数に基づいて当該音声データが圏外トーキーデータであるか否かを判定する。よって、携帯電話装置１は、周波数に基づいて、圏外トーキーデータであるか否かの判定を精度よく判定することができる。
【００５３】
また、携帯電話装置１は、受信した音声データが圏外トーキーデータであると判定した場合に、通信部３０における通信を切断するとともに、記憶部５０に記憶されている英語音声案内データを電気信号に変換してスピーカ２２に出力する。よって、携帯電話装置１は、受信した音声データが圏外トーキーデータであると判定したタイミングで通信を切断するので、圏外トーキーデータの内容を英語で案内することができるとともに、通信量を抑制することができる。
【００５４】
また、携帯電話装置１は、受信した音声データが圏外トーキーデータであると判定した場合に、当該圏外トーキーデータ（受信した音声データ）を電気信号に変換してスピーカ２２に出力し、当該スピーカ２２が圏外トーキーを出力している最中であっても、通信部３０における通信を切断させる。よって、携帯電話装置１は、受信した音声データに対応する圏外トーキーがスピーカ２２から出力されている場合であっても通信を切断するので、受信した音声データに対応する圏外トーキーの出力が終了してから通信を切断する場合に比べて、通信負荷を軽減することができる。
【００５５】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００５６】
本実施形態では、英語モードで動作している場合において、日本語音声案内データを受信したとき、英語による音声案内をスピーカ２２から出力させることとしたが、これに限らず、他の言語モードを設けて、当該他の言語モードに対応する言語により音声案内をスピーカ２２から出力させるようにしてもよい。
【００５７】
また、本実施形態では、設定情報、すなわち、切替フラグの設定を操作部１１の操作を介して任意に設定できるものとしたが、これに限らず、基地局から受信する制御チャネルの情報に基づいて任意に設定できるようにしてもよい。ここで、制御チャネルは、例えば、携帯電話装置１の電源をＯＮにして起動した場合に接続されるチャネルである。
【００５８】
以下に、切替フラグを自動的に設定する処理の流れについて説明する。図４は、制御部６０が、切替フラグを自動的に設定する処理の流れを示すフローチャートである。
【００５９】
ステップＳ２１において、制御部６０は、制御チャネルを補足し、国番号を取得する。
ステップＳ２２において、制御部６０は、使用中の言語モードの国番号を取得し、ステップＳ２１において取得した国番号と一致するか否かを判定する。制御部６０は、この判定がＹＥＳの場合、ステップＳ２３に処理を移し、この判定がＮＯの場合、処理をステップＳ２４に移す。
【００６０】
ステップＳ２３において、制御部６０は、使用中の言語モードの国番号とステップＳ２１において取得した国番号が一致しているので、切替フラグをＯＦＦに設定する。
ステップＳ２４において、制御部６０は、使用中の言語モードの国番号とステップＳ２１において取得した国番号が一致していないので、切替フラグをＯＮに設定する。
【００６１】
このようにすることで、携帯電話装置１は、制御チャネルから取得する国番号に基づいて自動的に切替フラグを設定することができる。
【符号の説明】
【００６２】
１  携帯電話装置
２２  スピーカ
３０  通信部
５０  記憶部
６０  制御部
【図１】
2012134862.tif 000003
【図２】
2012134862.tif 000004
【図３】
2012134862.tif 000005
【図４】
2012134862.tif 000006